(57)【要約】【課題】本発明は、移動体通信機器に用いられる通信用デバイスのエラーを適切な手順で付加することを目的とする。【解決手段】上記目的を達成するために、本願発明の移動体通信用デバイス試験方法は、ヘッダ生成手順（Ｓ１１１）と、ヘッダ付加手順（Ｓ１１２）と、ＳＯＦ付加手順（Ｓ１１３）と、ＣＲＣ付加手順（Ｓ１１４）と、ＥＯＴ若しくはＥＯＦ付加手順（Ｓ１１５）と、８Ｂ１０Ｂ変換手順（Ｓ１１６）と、を順に有し、ヘッダ生成手順でフレームカウントエラーを、ＣＲＣ付加手順でＣＲＣエラーを、ＥＯＴ若しくはＥＯＦ付加手順でフレーム長エラーを、８Ｂ１０Ｂ変換手順でＲＤＳエラーを、８Ｂ１０Ｂ変換手順の後に１０ｂｉｔエラーを付加することを特徴とする。【選択図】図５
2011041106.tif 000002
【特許請求の範囲】
【請求項１】
基地局との間でＲＦ（Ｒａｄｉｏ  Ｆｒｅｑｕｅｎｃｙ）信号を送受する移動体通信機器に用いられかつベースバンド信号で変調したＲＦ信号を生成する通信用デバイス（９２）のエラー付加試験を行う移動体通信用デバイス試験システム（９１）であって、
ペイロードデータのペイロード長が入力され、フレームカウントを計数して、前記ペイロード長及び前記計数したフレームカウントが含まれたヘッダを生成して出力するヘッダ生成部（１１）と、
前記ヘッダ生成部の出力する前記ヘッダを、前記ペイロードデータに付加して出力するヘッダ付加部（１２）と、
ＳＯＦ（Ｓｔａｒｔ  Ｏｆ  Ｆｒａｍｅ）を、前記ヘッダ付加部の出力するデータに付加して出力するＳＯＦ付加部（１３）と、
前記ヘッダ生成部の出力する前記ヘッダに含まれる情報を取得してＣＲＣ（Ｃｙｃｌｉｃ  Ｒｅｄｕｎｄａｎｃｙ  Ｃｈｅｃｋ）を算出し、算出したＣＲＣを前記ＳＯＦ付加部の出力するデータに付加して出力するＣＲＣ付加部（１４）と、
ＥＯＴ（Ｅｎｄ  Ｏｆ  Ｔｒａｎｓｍｉｓｓｉｏｎ）若しくはＥＯＦ（Ｅｎｄ  Ｏｆ  Ｆｒａｍｅ）を、前記ＣＲＣ付加部の出力するデータのうちの予め定められた位置に付加して出力するＥＯＴ若しくはＥＯＦ付加部（１５）と、
前記ＥＯＴ若しくはＥＯＦ付加部の出力するデータを、８ｂｉｔのコードから１０ｂｉｔのコードに変換して出力する８Ｂ１０Ｂ変換部（１６）と、
前記８Ｂ１０Ｂ変換部の出力するデータを前記通信用デバイスに出力するデータ出力部（７６−２）と、を備え、
前記ヘッダ生成部の計数するフレームカウントを任意の数だけ増加又は減少するフレームカウントエラー生成部（２１）か、或いは、
前記ＣＲＣ付加部の算出するＣＲＣをビット反転するＣＲＣエラー付加部（２４）か、或いは、
前記ＥＯＴ若しくはＥＯＦ付加部の前記予め定められた位置とは異なる位置にＥＯＴ若しくはＥＯＦを付加するか、又は、ＥＯＴ若しくはＥＯＦとは異なるコードを前記ＥＯＴ若しくはＥＯＦ付加部の前記予め定められた位置に付加するフレーム長エラー付加部（２５）か、或いは、
前記８Ｂ１０Ｂ変換部が変換した１０ｂｉｔのコードの少なくとも１つを、ＲＤ（Ｒｕｎｎｉｎｇ  Ｄｉｓｐａｒｉｔｙ）値が反転している１０ｂｉｔのコードに置換するＲＤＳ（Ｒｕｎｎｉｎｇ  Ｄｉｇｉｔａｌ  Ｓｕｍ）エラー付加部（２６）か、或いは、
前記８Ｂ１０Ｂ変換部の出力するデータに、８Ｂ１０Ｂ変換テーブルに格納された１０ｂｉｔのコードとは異なる１０ｂｉｔのコードを付加する１０ｂｉｔエラー付加部（２８）を、
さらに備えることを特徴とする移動体通信用デバイス試験システム。
【請求項２】
基地局との間でＲＦ（Ｒａｄｉｏ  Ｆｒｅｑｕｅｎｃｙ）信号を送受する移動体通信機器に用いられかつベースバンド信号で変調したＲＦ信号を生成する通信用デバイス（９２）のエラー付加試験を行う移動体通信用デバイス試験方法であって、
ペイロードデータのペイロード長が入力され、フレームカウントを計数して、前記ペイロード長及び前記計数したフレームカウントが含まれたヘッダを生成して出力するヘッダ生成手順（Ｓ１１１）と、
前記ヘッダ生成手順で出力した前記ヘッダを、前記ペイロードデータに付加して出力するヘッダ付加手順（Ｓ１１２）と、
ＳＯＦ（Ｓｔａｒｔ  Ｏｆ  Ｆｒａｍｅ）を、前記ヘッダ付加手順で出力したデータに付加して出力するＳＯＦ付加手順（Ｓ１１３）と、
前記ヘッダ生成手順で出力した前記ヘッダに含まれる情報を取得してＣＲＣ（Ｃｙｃｌｉｃ  Ｒｅｄｕｎｄａｎｃｙ  Ｃｈｅｃｋ）を算出し、算出したＣＲＣを前記ＳＯＦ付加手順で出力したデータに付加して出力するＣＲＣ付加手順（Ｓ１１４）と、
ＥＯＴ（Ｅｎｄ  Ｏｆ  Ｔｒａｎｓｍｉｓｓｉｏｎ）若しくはＥＯＦ（Ｅｎｄ  Ｏｆ  Ｆｒａｍｅ）を、前記ＣＲＣ付加手順で出力したデータのうちの予め定められた位置に付加して出力するＥＯＴ若しくはＥＯＦ付加手順（Ｓ１１５）と、
前記ＥＯＴ若しくはＥＯＦ付加手順で出力したデータを、８ｂｉｔのコードから１０ｂｉｔのコードに変換して出力する８Ｂ１０Ｂ変換手順（Ｓ１１６）と、順に有し、
前記ヘッダ生成手順において、計数したフレームカウントを任意の数だけ増加又は減少するか、或いは、
前記ＣＲＣ付加手順において、算出したＣＲＣをビット反転して前記ＳＯＦ付加手順で出力したデータに付加して出力するか、或いは、
前記ＥＯＴ若しくはＥＯＦ付加手順において、前記予め定められた位置とは異なる位置にＥＯＴ若しくはＥＯＦを付加するか、又は、ＥＯＴ若しくはＥＯＦとは異なるコードを前記予め定められた位置に付加するか、或いは、
前記８Ｂ１０Ｂ変換手順において、変換した１０ｂｉｔのコードの少なくとも１つを、ＲＤ（Ｒｕｎｎｉｎｇ  Ｄｉｓｐａｒｉｔｙ）値が反転している１０ｂｉｔのコードに置換するか、或いは、
前記８Ｂ１０Ｂ変換手順の後に、前記８Ｂ１０Ｂ変換手順で出力したデータに、８Ｂ１０Ｂ変換テーブルに格納された１０ｂｉｔのコードとは異なる１０ｂｉｔのコードを付加する１０ｂｉｔエラー付加手順（Ｓ１２８）をさらに有する、
ことを特徴とする移動体通信用デバイス試験方法。
【発明の詳細な説明】
【技術分野】
【０００１】
本発明は、移動体通信用デバイス試験システム及び試験方法に関し、特に、基地局との間でＲＦ（Ｒａｄｉｏ  Ｆｒｅｑｕｅｎｃｙ）信号を送受する移動体通信機器に用いられかつベースバンド信号で変調したＲＦ信号を生成するＲＦＩＣ（Ｒａｄｉｏ  Ｆｒｅｑｕｅｎｃｙ  Ｉｎｔｅｇｒａｔｅｄ  Ｃｉｒｃｕｉｔ）の試験を行うための移動体通信用デバイス試験システム及びその試験方法に関する。
【背景技術】
【０００２】
移動体通信機器に用いられる通信用デバイスを試験するために、移動体端末用デバイス試験システムが提案されている（例えば、特許文献１参照。）。従来は、エラーが付加された信号を、通信用デバイスに送信し、それに対する通信用デバイスの動作を確認することにより、通信用デバイスを評価していた。
【０００３】
ここで、移動体通信機器に用いられる通信用デバイスとして、ＲＦＩＣが考えられる。ＲＦＩＣは、ＢＢＩＣ（Ｂａｓｅｂａｎｄ  Ｉｎｔｅｇｒａｔｅｄ  Ｃｉｒｃｕｉｔ）から受信したベースバンド信号を受けて、このベースバンド信号により搬送波を変調し、基地局と通信するためのＲＦ信号として送出するとともに、基地局からのＲＦ信号を受けて、ベースバンド信号を復調してＢＢＩＣに送出する機能を有する。また、ＢＢＩＣは、送信すべきデータをベースバンド信号としてＲＦＩＣに送出し、ＲＦＩＣから受けたベースバンド信号を受信データとして処理する機能を有する。ここで、ＢＢＩＣとＲＦＩＣとの間の通信は、所定のインタフェースにより、デジタル信号でベースバンド信号や制御信号をやりとりするようになっている。
【先行技術文献】
【特許文献】
【０００４】
【特許文献１】特開２００８−１７１３１号公報
【発明の概要】
【発明が解決しようとする課題】
【０００５】
ＢＢＩＣとＲＦＩＣとの間のインタフェースにおけるエラーは複数存在する。そして、これらの複数のエラーは互いに影響しあう可能性がある。このため、ＲＦＩＣの評価を行う際には、適切な手順でエラーを付加していく必要がある。もし、不適切な手順でエラーを付加すると、生成されたエラー付加信号の状態が、試験者が所望するものと異なってしまい、適切な評価が行えない可能性がある。
【０００６】
そこで、前記課題を解決するために、本発明は、移動体通信機器に用いられる通信用デバイスのエラーを適切な手順で付加することを目的とする。
【課題を解決するための手段】
【０００７】
上記目的を達成するために、本願発明に係る移動体通信用デバイス試験システムは、基地局との間でＲＦ（Ｒａｄｉｏ  Ｆｒｅｑｕｅｎｃｙ）信号を送受する移動体通信機器に用いられかつベースバンド信号で変調したＲＦ信号を生成する通信用デバイス（９２）のエラー付加試験を行う移動体通信用デバイス試験システム（９１）であって、ペイロードデータのペイロード長が入力され、フレームカウントを計数して、前記ペイロード長及び前記計数したフレームカウントが含まれたヘッダを生成して出力するヘッダ生成部（１１）と、前記ヘッダ生成部の出力する前記ヘッダを、前記ペイロードデータに付加して出力するヘッダ付加部（１２）と、ＳＯＦ（Ｓｔａｒｔ  Ｏｆ  Ｆｒａｍｅ）を、前記ヘッダ付加部の出力するデータに付加して出力するＳＯＦ付加部（１３）と、前記ヘッダ生成部の出力する前記ヘッダに含まれる情報を取得してＣＲＣ（Ｃｙｃｌｉｃ  Ｒｅｄｕｎｄａｎｃｙ  Ｃｈｅｃｋ）を算出し、算出したＣＲＣを前記ＳＯＦ付加部の出力するデータに付加して出力するＣＲＣ付加部（１４）と、ＥＯＴ（Ｅｎｄ  Ｏｆ  Ｔｒａｎｓｍｉｓｓｉｏｎ）若しくはＥＯＦ（Ｅｎｄ  Ｏｆ  Ｆｒａｍｅ）を、前記ＣＲＣ付加部の出力するデータのうちの予め定められた位置に付加して出力するＥＯＴ若しくはＥＯＦ付加部（１５）と、前記ＥＯＴ若しくはＥＯＦ付加部の出力するデータを、８ｂｉｔのコードから１０ｂｉｔのコードに変換して出力する８Ｂ１０Ｂ変換部（１６）と、前記８Ｂ１０Ｂ変換部の出力するデータを前記通信用デバイスに出力するデータ出力部（７６−２）と、を備え、前記ヘッダ生成部の計数するフレームカウントを任意の数だけ増加又は減少するフレームカウントエラー生成部（２１）か、或いは、前記ＣＲＣ付加部の算出するＣＲＣをビット反転するＣＲＣエラー付加部（２４）か、或いは、前記ＥＯＴ若しくはＥＯＦ付加部の前記予め定められた位置とは異なる位置にＥＯＴ若しくはＥＯＦを付加するか、又は、ＥＯＴ若しくはＥＯＦとは異なるコードを前記ＥＯＴ若しくはＥＯＦ付加部の前記予め定められた位置に付加するフレーム長エラー付加部（２５）か、或いは、前記８Ｂ１０Ｂ変換部が変換した１０ｂｉｔのコードの少なくとも１つを、ＲＤ（Ｒｕｎｎｉｎｇ  Ｄｉｓｐａｒｉｔｙ）値が反転している１０ｂｉｔのコードに置換するＲＤＳ（Ｒｕｎｎｉｎｇ  Ｄｉｇｉｔａｌ  Ｓｕｍ）エラー付加部（２６）か、或いは、前記８Ｂ１０Ｂ変換部の出力するデータに、８Ｂ１０Ｂ変換テーブルに格納された１０ｂｉｔのコードとは異なる１０ｂｉｔのコードを付加する１０ｂｉｔエラー付加部（２８）を、さらに備えることを特徴とする。
【０００８】
ヘッダ生成時にフレームカウントエラー生成部がフレームカウントエラーを付加し、ＣＲＣ付加時にＣＲＣエラー付加部がＣＲＣエラーを付加し、ＥＯＴ若しくはＥＯＦ付加時にフレーム長エラー付加部がフレーム長エラーを付加し、８Ｂ１０Ｂ変換時にＲＤＳエラー付加部がＲＤＳエラーを付加し、８Ｂ１０Ｂ変換後に１０ｂｉｔエラー付加部が１０ｂｉｔエラーを付加する。このように、フレームの生成の際にエラーを付加するため、フレームカウントエラー、ＣＲＣエラー、フレーム長エラー、ＲＤＳエラー及び１０ｂｉｔエラーが識別可能な状態で、少なくともいずれかのエラーを付加することができる。したがって、本願発明に係る移動体通信用デバイス試験システムは、移動体通信機器に用いられる通信用デバイスのエラーを適切な手順で付加することができる。
【０００９】
上記目的を達成するために、本願発明に係る移動体通信用デバイス試験方法は、基地局との間でＲＦ（Ｒａｄｉｏ  Ｆｒｅｑｕｅｎｃｙ）信号を送受する移動体通信機器に用いられかつベースバンド信号で変調したＲＦ信号を生成する通信用デバイス（９２）のエラー付加試験を行う移動体通信用デバイス試験方法であって、ペイロードデータのペイロード長が入力され、フレームカウントを計数して、前記ペイロード長及び前記計数したフレームカウントが含まれたヘッダを生成して出力するヘッダ生成手順（Ｓ１１１）と、前記ヘッダ生成手順で出力した前記ヘッダを、前記ペイロードデータに付加して出力するヘッダ付加手順（Ｓ１１２）と、ＳＯＦ（Ｓｔａｒｔ  Ｏｆ  Ｆｒａｍｅ）を、前記ヘッダ付加手順で出力したデータに付加して出力するＳＯＦ付加手順（Ｓ１１３）と、前記ヘッダ生成手順で出力した前記ヘッダに含まれる情報を取得してＣＲＣ（Ｃｙｃｌｉｃ  Ｒｅｄｕｎｄａｎｃｙ  Ｃｈｅｃｋ）を算出し、算出したＣＲＣを前記ＳＯＦ付加手順で出力したデータに付加して出力するＣＲＣ付加手順（Ｓ１１４）と、ＥＯＴ（Ｅｎｄ  Ｏｆ  Ｔｒａｎｓｍｉｓｓｉｏｎ）若しくはＥＯＦ（Ｅｎｄ  Ｏｆ  Ｆｒａｍｅ）を、前記ＣＲＣ付加手順で出力したデータのうちの予め定められた位置に付加して出力するＥＯＴ若しくはＥＯＦ付加手順（Ｓ１１５）と、前記ＥＯＴ若しくはＥＯＦ付加手順で出力したデータを、８ｂｉｔのコードから１０ｂｉｔのコードに変換して出力する８Ｂ１０Ｂ変換手順（Ｓ１１６）と、を順に有し、前記ヘッダ生成手順において、計数したフレームカウントを任意の数だけ増加又は減少するか、或いは、前記ＣＲＣ付加手順において、算出したＣＲＣをビット反転して前記ＳＯＦ付加手順で出力したデータに付加して出力するか、或いは、前記ＥＯＴ若しくはＥＯＦ付加手順において、前記予め定められた位置とは異なる位置にＥＯＴ若しくはＥＯＦを付加するか、又は、ＥＯＴ若しくはＥＯＦとは異なるコードを前記予め定められた位置に付加するか、或いは、前記８Ｂ１０Ｂ変換手順において、変換した１０ｂｉｔのコードの少なくとも１つを、ＲＤ（Ｒｕｎｎｉｎｇ  Ｄｉｓｐａｒｉｔｙ）値が反転している１０ｂｉｔのコードに置換するか、或いは、前記８Ｂ１０Ｂ変換手順の後に、前記８Ｂ１０Ｂ変換手順で出力したデータに、８Ｂ１０Ｂ変換テーブルに格納された１０ｂｉｔのコードとは異なる１０ｂｉｔのコードを付加する１０ｂｉｔエラー付加手順（Ｓ１２８）をさらに有する、ことを特徴とする。
【００１０】
ヘッダ生成手順においてフレームカウントエラーを付加し、ＣＲＣ付加手順においてＣＲＣエラーを付加し、ＥＯＴ若しくはＥＯＦ付加手順においてフレーム長エラーを付加し、８Ｂ１０Ｂ変換手順においてＲＤＳエラーを付加し、１０ｂｉｔエラー付加手順において１０ｂｉｔエラーを付加する。このように、フレームの生成の際にエラーを付加するため、フレームカウントエラー、ＣＲＣエラー、フレーム長エラー、ＲＤＳエラー及び１０ｂｉｔエラーが識別可能な状態で、少なくともいずれかのエラーを付加することができる。したがって、本願発明に係る移動体通信用デバイス試験方法は、移動体通信機器に用いられる通信用デバイスのエラーを適切な手順で付加することができる。
【００１１】
なお、上記各発明は、可能な限り組み合わせることができる。
【発明の効果】
【００１２】
本発明によれば、本願発明に係る移動体通信用デバイス試験システム及び移動体通信用デバイス試験方法は、移動体通信機器に用いられる通信用デバイスのエラーを適切な手順で付加することができる。
【図面の簡単な説明】
【００１３】
【図１】本実施形態に係る移動体通信用デバイス試験システムの概略構成図である。
【図２】試験実行部の概略構成図である。
【図３】フレームの一例であり、（ａ）はフレーム構造を示し、（ｂ）はヘッダ構造の第１例を示し、（ｃ）はヘッダ構造の第２例を示す。
【図４】データ生成部の概略構成図である。
【図５】本実施形態に係る移動体通信用デバイス試験方法の概略を示す流れ図である。
【図６】本実施形態に係る移動体通信用デバイス試験方法の具体例を示す流れ図である。
【図７】５Ｂ６Ｂ変換テーブルの一例を示す。
【発明を実施するための形態】
【００１４】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１５】
図１は、本実施形態に係る移動体通信用デバイス試験システムの概略構成図である。本実施形態に係る移動体通信用デバイス試験システム９１は、通信用デバイス９２の試験を行う。通信用デバイス９２は、基地局との間でＲＦ信号を送受する移動体通信機器に用いられる。移動体通信機器は、例えば携帯電話である。移動体通信機器は、基地局との間でＲＦ信号を送受するために、同相成分及び直交成分を有するベースバンド信号を生成するＢＢＩＣと、ＢＢＩＣとの間でベースバンド信号の送受を行い、ベースバンド信号で変調したＲＦ信号を生成するＲＦＩＣを備える。通信用デバイス９２は、ＲＦＩＣに相当し、ベースバンド信号で変調したＲＦ信号を生成するとともにＲＦ信号を復調してベースバンド信号を生成することで、基地局との間でＲＦ信号を送受する。
【００１６】
移動体通信用デバイス試験システム９１は、通信用デバイス９２に対して行う試験シーケンスを作成するシーケンス作成装置８１と、シーケンス作成装置８１の作成した試験シーケンスを実行する試験装置８２を備える。試験装置８２は、エラーが付加された信号を通信用デバイス９２に送信することで、通信用デバイス９２のエラー付加試験を行う。そして、試験装置８２は、通信用デバイス９２から受信した信号を解析してエラーを検出する。これにより、通信用デバイス９２の評価を行うことができる。
【００１７】
シーケンス作成装置８１は、シーケンス作成部７１と、シーケンス作成部７１の作成する試験シーケンスを表示する表示部７２と、シーケンス作成部７１を操作する操作部７３と、を備える。試験装置８２は、シーケンス作成装置８１の作成した試験シーケンスを記憶するシーケンス記憶部７４と、ペイロードデータ記憶部７５と、シーケンス記憶部７４の記憶する試験シーケンスに従って試験を実行する試験実行部７６と、表示部７７と、操作部７８と、を備える。シーケンス作成装置８１と試験装置８２は、ＲＯＭ、ＲＡＭ、ＣＰＵ、ＨＤＤ、インタフェース等を含むコンピュータにより構成され、これらは独立したコンピュータであってもよいし、一体となっていてもよい。
【００１８】
ペイロードデータ記憶部７５は、ベースバンド信号であるＩＱデータを記憶する。シーケンス記憶部７４は、シーケンス作成装置８１から出力された試験シーケンスを記憶する。試験実行部７６は、シーケンス記憶部７４に記憶されている試験シーケンスに従って、ベースバンド信号の含まれている送信フレームを通信用デバイス９２に送信し、通信用デバイス９２の生成するＲＦ信号を受信して、通信用デバイス９２の試験を実行する。
【００１９】
言い換えると、試験装置８２は、ＢＢＩＣの動作を模擬する疑似ＢＢＩＣとして動作し、通信用デバイス９２との間で通信や制御を行う。それと共に、試験装置８２は、基地局の動作を模擬する疑似基地局として動作し、通信用デバイス９２との間でＲＦ信号を送受する。そして、これらの動作の中で、通信用デバイス９２の試験を実施する。
【００２０】
図２は、試験実行部の概略構成図である。試験実行部７６は、データ生成部７６−１と、データ出力部７６−２と、内部管理情報付加部７６−３と、出力データ記憶部７６−４と、試験結果解析部７６−５と、ＲＦ信号処理部７６−６と、カウンタ７６−７と、時刻情報生成部７６−８と、データ入力部７６−９と、データ解析部７６−１０と、内部管理情報付加部７６−１１と、入力データ記憶部７６−１２と、を備える。
【００２１】
データ生成部７６−１は、シーケンス記憶部７４に記憶されている試験シーケンスと、ペイロードデータ記憶部７５に記憶されているペイロードデータが入力され、フレームを生成する。図３は、フレームの一例であり、（ａ）はフレーム構造を示し、（ｂ）はヘッダ構造の第１例を示し、（ｃ）はヘッダ構造の第２例を示す。ここで、ＢＢＩＣとＲＦＩＣとの間のインタフェースでは、単一のフレームでなるシングルフレーム構成と、複数のフレームが連続してバースト状になるマルチフレーム構成との２種類のフレーム構成が採用されている。
【００２２】
図３（ａ）に示すフレームは、シングルフレームであり、ＳＯＦ（Ｓｔａｒｔ  Ｏｆ  Ｆｒａｍｅ）と、ヘッダと、ペイロードと、ＣＲＣ（Ｃｙｃｌｉｃ  Ｒｅｄｕｎｄａｎｃｙ  Ｃｈｅｃｋ）と、ＥＯＴ（Ｅｎｄ  Ｏｆ  Ｔｒａｎｓｍｉｓｓｉｏｎ）と、で構成される。フレームがマルチフレームの場合、末尾のフレームを除き、ＥＯＴに代えてＥＯＦ（Ｅｎｄ  Ｏｆ  Ｆｒａｍｅ）となる。ヘッダには、再送識別子、フレームカウント、ペイロードタイプ、フレームタイプが含まれる。ここで、フレームカウントはフレームの順番号を示し、ペイロードタイプはペイロードの種別を示し、この種別によりペイロード長（ペイロードの有効バイト長）が確定する。フレームタイプはフレームの種別を示す。ヘッダのフォーマットタイプは限定しない。例えば、図３（ｂ）に示すような８ｂｉｔのフォーマット１であってもよいし、図３（ｃ）に示すような１６ｂｉｔのフォーマット２であってもよい。
【００２３】
データ出力部７６−２は、フレームを通信用デバイス９２に出力する。フレームのペイロードは、通信用デバイス９２の制御信号や、通信用デバイス９２がＲＦ信号に変調するベースバンド信号を含む。これにより、試験実行部７６はＢＢＩＣとして擬似する。このため、エラーが生じるような試験シーケンスを作成することで、エラーを付加した信号を通信用デバイス９２に受信させることができる。
【００２４】
内部管理情報付加部７６−３は、時刻情報生成部７６−８を参照して、いつどのようなデータがデータ出力部７６−２から出力されたのかなどのログを生成する。ログには、いつどのようなエラーが付加されたのか、１つのフレームに幾つのエラーが付加されたかも含まれる。出力データ記憶部７６−４は、内部管理情報付加部７６−３からのログを記憶する。
【００２５】
データ入力部７６−９は、通信用デバイス９２からフレームが入力される。フレームのペイロードは、通信用デバイス９２の制御信号や、通信用デバイス９２から送信するベースバンド信号を含む。これにより、試験実行部７６はＢＢＩＣとして擬似する。このため、データ入力部７６−９に入力されたフレームを解析することで、通信用デバイス９２で発生する信号に含まれるエラーを検出することができる。
【００２６】
データ解析部７６−１０は、データ入力部７６−９に入力されたデータを解析し、エラーを検出する。内部管理情報付加部７６−１１は、時刻情報生成部７６−８を参照して、いつどのようなデータがデータ入力部７６−９に入力されたのかなどのログを生成する。ログには、いつどのようなエラーが検出されたのか、１つのフレームに幾つのエラーが検出されたかも含まれる。入力データ記憶部７６−１２は、内部管理情報付加部７６−１１からのログを記憶する。
【００２７】
ＲＦ信号処理部７６−６は、シーケンス記憶部７４の記憶する試験シーケンスに従って、通信用デバイス９２との間でＲＦ信号を送受信する。これにより、試験実行部７６は基地局として擬似する。
【００２８】
試験結果解析部７６−５は、シーケンス記憶部７４の記憶する試験シーケンス、ＲＦ信号処理部７６−６の送受信するデータ、出力データ記憶部７６−４に記憶されているログ及び入力データ記憶部７６−１２に記憶されているログを解析する。これにより、図１に示す通信用デバイス９２の動作を確認し、通信用デバイス９２の評価を行うことができる。
【００２９】
図４は、データ生成部の概略構成図である。データ生成部７６−１は、ヘッダ生成部１１と、ヘッダ付加部１２と、ＳＯＦ付加部１３と、ＣＲＣ付加部１４と、ＥＯＴ若しくはＥＯＦ付加部１５と、８Ｂ１０Ｂ変換部１６と、を備える。これにより、データ生成部７６−１は、入力された試験シーケンスに従ったフレームを生成し、データ出力部（図２に示す符号７６−２）に出力する。
【００３０】
さらに、データ生成部７６−１は、フレームカウントエラー生成部２１と、ＣＲＣエラー付加部２４と、フレーム長エラー付加部２５と、ＲＤＳ（Ｒｕｎｎｉｎｇ  Ｄｉｇｉｔａｌ  Ｓｕｍ）エラー付加部２６と、１０ｂｉｔエラー付加部２８と、を備え、本実施形態に係る移動体通信用デバイス試験方法を実行する。
【００３１】
図５は、本実施形態に係る移動体通信用デバイス試験方法の概略を示す流れ図である。
移動体通信用デバイス試験方法は、ヘッダ生成手順Ｓ１１１と、ヘッダ付加手順Ｓ１１２と、ＳＯＦ付加手順Ｓ１１３と、ＣＲＣ付加手順Ｓ１１４と、ＥＯＴ若しくはＥＯＦ付加手順Ｓ１１５と、８Ｂ１０Ｂ変換手順Ｓ１１６と、データ出力手順Ｓ１０７と、順に有する。そして、ヘッダ生成手順Ｓ１１１においてフレームカウントエラーを付加するか、ＣＲＣ付加手順Ｓ１１４においてＣＲＣエラーを付加するか、ＥＯＴ若しくはＥＯＦ付加手順Ｓ１１５においてフレーム長エラーを付加するか、８Ｂ１０Ｂ変換手順Ｓ１１６においてＲＤＳエラーを付加するか、或いは、８Ｂ１０Ｂ変換手順Ｓ１１６の後に１０ｂｉｔエラー付加手順Ｓ１２８を実行することを特徴とする。
【００３２】
図１に示す本実施形態に係る移動体通信用デバイス試験システム９１が図４に示すデータ生成部７６−１を備え、本実施形態に係る移動体通信用デバイス試験方法を実行することで、入力された試験シーケンスに従ったエラーをフレーム単位で任意に発生させることができる。エラーの付加は、入力された試験シーケンスによって定められたフレーム送出シーケンスの中で、指定のフレームに指定のエラーを付加する。
【００３３】
図６は、本実施形態に係る移動体通信用デバイス試験方法の具体例を示す流れ図である。
まず、ヘッダ生成手順Ｓ１１１を実行する。このとき、図４に示すヘッダ生成部１１は、ペイロードデータのペイロード長が入力され、フレームカウントを計数して、ペイロード長及び計数したフレームカウントが含まれたヘッダを生成して出力する。ペイロードデータのペイロード長は、例えば、入力される試験シーケンスから取得してもよいし、入力されるペイロードデータから取得してもよい。フレームカウントの計数は、例えば、図６に示すカウンタ１１−３が、０、１、２、３、……、７、０、１、２、……のように、予め定められた範囲でフレームカウントを１ずつ計数する。そして、ヘッダにフレームカウントを付加する。なお、フレームカウンタの初期値は０に限らず、他の値であってもよい。
【００３４】
フレームカウントエラーを付加する場合、ヘッダ生成手順Ｓ１１１において当該エラーを付加する。この場合、図４に示すフレームカウントエラー生成部２１は、ヘッダ生成部１１の計数するフレームカウントを任意の数だけ増加又は減少する。例えば、図６に示すように、カウンタ１１−３と並列にフレームカウントエラー生成部２１を設ける。フレームカウントエラー生成部２１は、１つのフレームに対して、「１」に１以上６以下の数「Ｘ」を加えた「１＋Ｘ」を計数する。セレクタ回路１１−２は、フレームカウントエラー生成部２１からの出力を選択する。カウントラッチ１１−１は、セレクタ１１−２からの出力値を保持する。これにより、ヘッダに付加するフレームカウントをフレームごとに予め定められた数とは異なる数にすることができる。従って、フレームカウントエラー生成部２１は、フレームカウントエラーを付加することができる。
【００３５】
次に、ヘッダ付加手順Ｓ１１２を実行する。このとき、図４に示すヘッダ付加部１２は、ヘッダ生成部１１の出力するヘッダを、ペイロードデータに付加して出力する。ここで、ヘッダのフォーマットタイプは試験シーケンスによって定められる。ヘッダをペイロードデータの前に付加する際は、ヘッダのフォーマットタイプを判定してヘッダのサイズを判定する。
【００３６】
次に、ＳＯＦ付加手順Ｓ１１３を実行する。このとき、図４に示すＳＯＦ付加部１３は、フォーマットタイプを判定し、ヘッダ付加部１２の出力するデータのうちのフォーマットタイプに応じた位置にＳＯＦを付加する。
【００３７】
次に、ＣＲＣ付加手順Ｓ１１４を実行する。このとき、図４に示すＣＲＣ付加部１４は、ヘッダ生成部１１の出力するヘッダに含まれる情報を取得してＣＲＣを算出し、算出したＣＲＣをＳＯＦ付加部１３の出力するデータに付加して出力する。ＣＲＣは、例えば、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）  ＣＲＣ−１６規格に従って算出する。
【００３８】
ヘッダ生成部１１の出力するヘッダに含まれる情報を取得する場合、例えば、図６に示すように、ヘッダのフォーマットタイプを判定し、フォーマット１であればペイロード長参照テーブルを参照して固定値のペイロード長を取得し、フォーマット２であればペイロード長を算出する。フォーマット２の場合、ヘッダの下位８ｂｉｔがペイロード長を示すので、ヘッダの下位８ｂｉｔからペイロード長を読み出すことができる。また、ペイロード長は試験シーケンスに記述されている場合は、試験シーケンスから取得してもよい。
【００３９】
ＣＲＣエラーを付加する場合、ＣＲＣ付加手順Ｓ１１４において当該エラーを付加する。この場合、図４に示すＣＲＣエラー付加部２４は、ＣＲＣ付加部１４の算出するＣＲＣをビット反転させる。そして、ＣＲＣ付加部１４は、ＣＲＣエラー付加部２４がビット反転させたＣＲＣをＳＯＦ付加部１３の出力するデータに付加して出力する。これにより、ＳＯＦ付加部１３から出力されたデータに、ＣＲＣ付加部１４の算出したＣＲＣとは異なる値をＣＲＣとして付加することができる。したがって、ＣＲＣエラー付加部２４は、ＣＲＣエラーを付加することができる。
【００４０】
次に、ＥＯＴ若しくはＥＯＦ付加手順Ｓ１１５を実行する。このとき、図４に示すＥＯＴ若しくはＥＯＦ付加部１５は、ＥＯＴ若しくはＥＯＦを、ＣＲＣ付加部１４の出力するデータのうちの予め定められた位置に付加して出力する。予め定められた位置とは、ヘッダとペイロードデータのペイロード長によって定まる位置である。マルチフレームの場合、フレームバースト転送の最後のフレームの末尾に図３（ａ）に示すＥＯＴを付加し、それ以外のフレームの末尾にはＥＯＦを付加する。
【００４１】
フレーム長エラーを付加する場合、ＥＯＴ若しくはＥＯＦ付加手順Ｓ１１５において当該エラーを付加する。フレーム長エラーは、ＥＯＴ若しくはＥＯＦが規定外の位置に付加されている場合、又は、ＥＯＴ若しくはＥＯＦが完全に欠落している場合に生じるエラーである。
【００４２】
この場合、図４に示すフレーム長エラー付加部２５は、ＥＯＴ若しくはＥＯＦ付加部１５の予め定められた位置とは異なる位置にＥＯＴ若しくはＥＯＦを付加して出力する。又は、フレーム長エラー付加部２５は、ＥＯＴ若しくはＥＯＦとは異なるコードをＥＯＴ若しくはＥＯＦ付加部１５の前記予め定められた位置に付加する。又は、フレーム長エラー付加部２５は、ＥＯＴ若しくはＥＯＦを、ＣＲＣ付加部１４の出力するデータに付加しないで出力する。
【００４３】
次に、８Ｂ１０Ｂ変換手順Ｓ１１６を実行する。このとき、図４に示す８Ｂ１０Ｂ変換部１６は、予め定められた符号変換テーブルを参照して、ＥＯＴ若しくはＥＯＦ付加部１５の出力するデータを、８ｂｉｔのコードから１０ｂｉｔのコードに変換して出力する。８Ｂ１０Ｂ変換部１６は、予め定められた符号変換テーブルとして、５Ｂ６Ｂ変換テーブルと、３Ｂ４Ｂ変換テーブルと、Ｋコード変換テーブルを備える。Ｋコードは、例えば、ＳＯＦやＥＯＦ及びＥＯＴなどの制御信号である。８Ｂ１０Ｂ変換部１６は、８ｂｉｔのコードがＫコードの場合は（Ｓ１１６−１）、Ｋコード変換テーブルを参照して８ｂｉｔのＫコードを１０ｂｉｔのＫコードに変換する（Ｓ１１６−２）。８Ｂ１０Ｂ変換部１６は、８ｂｉｔのコードがＫコードでなければ（Ｓ１１６−１）、８ｂｉｔのコードを前方３ｂｉｔと後方５ｂｉｔに分割する（Ｓ１１６−３）。そして、８Ｂ１０Ｂ変換部１６は、５Ｂ６Ｂ変換テーブルを参照して８ｂｉｔのうちの５ｂｉｔを６ｂｉｔに変換し（Ｓ１１６−５）、３Ｂ４Ｂ変換テーブルを参照して８ｂｉｔのうちの３ｂｉｔを４ｂｉｔに変換する（Ｓ１１６−４）。
【００４４】
図７に、５Ｂ６Ｂ変換テーブルの一例を示す。６ｂｉｔのコードのうちの「０」と「１」の数の異なるコードは、「０」の数が「１」の数よりも多い「ＲＤ（Ｒｕｎｎｉｎｇ  Ｄｉｓｐａｒｉｔｙ）＋」のコードと、「０」の数が「１」の数よりも少ない「ＲＤ（Ｒｕｎｎｉｎｇ  Ｄｉｓｐａｒｉｔｙ）−」のコードの２種類のコードが用意されている。５ｂｉｔのコードから６ｂｉｔのコードに変換する際、図４に示す８Ｂ１０Ｂ変換部１６は、「０」と「１」のＤＣ（直流）バランスが保たれるように、６ｂｉｔのコードの「ＲＤ＋」と「ＲＤ−」のいずれかを選択する。３ｂｉｔのコードから４ｂｉｔのコードへの変換、及び、Ｋコードの変換についても同様である。これによって、１０ｂｉｔのコードの「１」を「＋１」、「０」を「−１」としたときのビットごとの合計値であるＲＤＳは±２以下となる。
【００４５】
ＲＤＳエラーを付加する場合、８Ｂ１０Ｂ変換手順Ｓ１１６において当該エラーを付加する。ＲＤＳエラーは、１０ｂｉｔのコードの「０」と「１」のＤＣバランスが崩れている場合に生じるエラーである。この場合、図４に示すＲＤＳエラー付加部２６は、８Ｂ１０Ｂ変換部１６が変換した１０ｂｉｔのコードの少なくとも１つを、「ＲＤ＋」と「ＲＤ−」で表されるＲＤ（Ｒｕｎｎｉｎｇ  Ｄｉｓｐａｒｉｔｙ）値が反転している１０ｂｉｔのコードに置換する。すなわち、フィードバックしているＲＤ値を基に強制的に誤ったＲＤ値を与える。１０ｂｉｔのコードの少なくとも１つは、フレームのペイロードの先頭の１０ｂｉｔのコードであることが好ましい。これにより、他のエラーを発生させることなく、ＲＤＳエラーを付加することができる。
【００４６】
例えば、ＲＤＳエラー付加部２６は、正しいＲＤ値をフィードバックし、これをリファレンスとして強制的にＲＤ値を制御する。正しいＲＤ値が「ＲＤ−」であれば、誤ったＲＤ値「ＲＤ＋」を与える。これにより、ＲＤＳエラーを発生させる。さらに次のコードに対してはＲＤ値をあるべき値に戻し、２コード連続でエラーを発生させないようにする。
【００４７】
次に、データ出力手順Ｓ１０７を実行する。このとき、図４に示すデータ出力部７６−２は、８Ｂ１０Ｂ変換部１６の出力するデータを通信用デバイス（図１に示す符号９２）に出力する。
【００４８】
１０ｂｉｔエラーを付加する場合、８Ｂ１０Ｂ変換手順Ｓ１１６とデータ出力手順Ｓ１０７の間に、１０ｂｉｔエラー付加手順Ｓ１２８を実行する。１０ｂｉｔエラーは、８Ｂ１０Ｂ変換テーブルに格納されていないコードが含まれている場合に生じるエラーである。１０ｂｉｔエラーは、物理層のエラーを示し、８Ｂ１０Ｂコーディングエラーとは異なる。
【００４９】
この場合、図４に示す１０ｂｉｔエラー付加部２８は、８Ｂ１０Ｂ変換部１６の出力するデータに、８Ｂ１０Ｂ変換テーブルに格納された１０ｂｉｔのコードとは異なる１０ｂｉｔのコードを付加する。８Ｂ１０Ｂ変換テーブルに格納された１０ｂｉｔのコードとは異なる１０ｂｉｔのコードは、５Ｂ６Ｂ変換テーブル、３Ｂ４Ｂ変換テーブル及びＫコード変換テーブルのいずれにも格納されていないコードであり、例えば、「００１１１１０００１」である。
【００５０】
ここで、１０ｂｉｔエラーの付加によってＲＤＳエラーが生じないように、付加する１０ｂｉｔのコードは、適切なＲＤ値とする。例えば、１０ｂｉｔのコードを付加時のＲＤ値が「ＲＤ−」であれば、符号「０」が「１」よりも少ない１０ｂｉｔのコード「００１１１１−０００１」とする。一方、１０ｂｉｔのコードを付加時のＲＤ値が「ＲＤ＋」であれば、符号「０」が「１」よりも多い１０ｂｉｔのコード「１１００００−１１１０」とする。
【００５１】
誤った１０ｂｉｔのコードを付加する場合、フレーム内の付加する位置によってはエラーの検出が困難となる場合がある。そこで、誤った１０ｂｉｔのコードは、ペイロードの先頭に付加することが好ましい。これにより、他のエラーを発生させることなく、１０ｂｉｔエラーを付加することができる。
【００５２】
＜ＲＤＳの詳細＞
ＲＤＳはＲｕｎｎｉｎｇ  Ｄｉｇｉｔａｌ  Ｓｕｍの略称であり、８Ｂ１０Ｂエンコーディングされた１０ｂｉｔデータの「０」と「１」のＤＣバランスを、「１」を＋１、「０」を−１としたときのビットごとの合計値を示し、エラーがない場合は−２≦ＲＤＳ≦＋２となる。またＲＤは、Ｒｕｎｎｉｎｇ  Ｄｉｓｐａｒｉｔｙの略称であり、「０」と「１」の差をコードごとに符号化したものである。「ＲＤ＋」は、「１」の方が「０」よりも多いか、又は、「１」と「０」の数が等しい状態を示す。一方、「ＲＤ−」は、「１」よりも「０」の方が多いか、又は、「１」と「０」の数が等しい状態を示す。
【００５３】
８ｂｉｔのコードは８ｂｉｔのデータを示し、１０ｂｉｔのコードは１０ｂｉｔのデータを示す。８Ｂ１０Ｂ変換は、８ｂｉｔのコードを１０ｂｉｔのコードにエンコードすることにより、「０」と「１」のＤＣバランスを保ち、通信用デバイス９２のデジタル信号の受信部においてＣＤＲ（Ｃｌｏｃｋ  Ｄａｔａ  Ｒｅｃｏｖｅｒｙ）を容易にするためのものである。
【００５４】
以下、Ｈｅｘ表示の８ｂｉｔのコード「ＳＯＦ」「１０ｈ」「１１ｈ」「１２ｈ」「１３ｈ」「ＥＯＴ」を８Ｂ１０Ｂ変換する場合の具体例を示す。ＲＤ値が不定ではエンコードが開始できないため、初期値を「ＲＤ−」としてエンコードを開始する。
【００５５】
まず、ＳＯＦを８Ｂ１０Ｂ変換する。ＳＯＦはＫコードなので、Ｋコード変換テーブルを参照する。現在すなわち初期値のＲＤ値は「ＲＤ−」であるので、ＳＯＦは、「ＲＤ−」の１０ｂｉｔのコード「００１１１１１０１０」にエンコードされる。
「ＲＤ−」を使用したので、ＳＯＦを８Ｂ１０Ｂ変換後のＲＤ値は「ＲＤ＋」となる。
【００５６】
次に、「１０ｈ」を８Ｂ１０Ｂ変換する。Ｈｅｘ表示の「１０ｈ」をバイナリー表記すると、「０００１００００」となる。８ｂｉｔのコード「０００１００００」は、３ｂｉｔのコード「０００」と５ｂｉｔのコード「１００００」に分けられる。
そして、５Ｂ６Ｂ変換テーブルを参照して、まずは５ｂｉｔのコード「１００００」が６ｂｉｔのコードにエンコードされる。このとき、ＲＤ値は「ＲＤ＋」であるので、「ＲＤ＋」の６ｂｉｔのコード「１００１００」にエンコードされる。「ＲＤ＋」を使用したので、５Ｂ６Ｂ変換後のＲＤ値は「ＲＤ−」となる。
そして、３Ｂ４Ｂ変換テーブルを参照して、３ｂｉｔのコード「０００」が４ｂｉｔのコードにエンコードされる。このとき、ＲＤ値は「ＲＤ−」であるので、「ＲＤ−」の４ｂｉｔのコード「１０１１」にエンコードされる。「ＲＤ−」を使用したので、３Ｂ４Ｂ変換後のＲＤ値は「ＲＤ＋」となる。
従って、８ｂｉｔの「１０ｈ」は、１０ｂｉｔのコード「１００１００１０１１」にエンコードされる。
【００５７】
Ｈｅｘ表示の８ｂｉｔのコード「１１ｈ」「１２ｈ」「１３ｈ」についても同様に８Ｂ１０Ｂ変換を行う。「１３ｈ」を変換後のＲＤ値は「ＲＤ−」となる。
【００５８】
次に、ＥＯＴを８Ｂ１０Ｂ変換する。ＥＯＴはＫコードなので、Ｋコード変換テーブルを参照する。現在のＲＤ値は「ＲＤ−」であるので、８ｂｉｔのＥＯＴは、「ＲＤ−」の１０ｂｉｔのコード「００１１１１０１１０」にエンコードされる。
【００５９】
Ｈｅｘ表示の８ｂｉｔのコード「ＳＯＦ」「１０ｈ」「１１ｈ」「１２ｈ」「１３ｈ」「ＥＯＴ」を８Ｂ１０Ｂ変換した後の１０ｂｉｔのコードは、「００１１１１１０１０」「１００１００１０１１」「１０００１１０１００」「０１００１１１０１１」「１１００１００１００」「００１１１１０１１０」となる。このときのＲＤＳは−２≦ＲＤＳ≦＋２となる。したがって、この場合は、ＲＤＳエラーは生じていない。
【００６０】
では、８ｂｉｔのコード「１０ｈ」の５Ｂ６Ｂエンコード時に、ＲＤ値「ＲＤ＋」が反転している「ＲＤ−」の１０ｂｉｔのコードに置換する場合を考える。この場合、５ｂｉｔのコード「１００００」は「ＲＤ−」の６ｂｉｔのコード「０１１０１１」にエンコードされる。「ＲＤ−」を使用したので、５Ｂ６Ｂ変換後のＲＤ値は「ＲＤ＋」となる。
【００６１】
次のコードである３Ｂ４Ｂ変換時には、ＲＤ値をあるべき値に戻す。このため、５Ｂ６Ｂ変換後のＲＤ値を「ＲＤ−」に戻す。そして、前述のとおり、３ｂｉｔのコード「０００」を、「ＲＤ−」の４ｂｉｔのコード「１０１１」にエンコードする。
従って、８ｂｉｔの「１０ｈ」は、１０ｂｉｔのコード「０１１０１１１０１１」にエンコードされる。
【００６２】
この場合、Ｈｅｘ表示の８ｂｉｔのコード「ＳＯＦ」「１０ｈ」「１１ｈ」「１２ｈ」「１３ｈ」「ＥＯＴ」を８Ｂ１０Ｂ変換した後の１０ｂｉｔのコードは、「００１１１１１０１０」「０１１０１１１０１１」「１０００１１０１００」「０１００１１１０１１」「１１００１００１００」「００１１１１０１１０」となる。このときのＲＤＳは２よりも大きな値である＋４となるので、ＲＤＳエラーが生じる。したがって、１０ｂｉｔのコードのうちの１つを、ＲＤ値が反転している１０ｂｉｔのコードに置換することで、ＲＤＳエラーを生じさせることができる。
【産業上の利用可能性】
【００６３】
本発明は、ＲＦＩＣの試験を行うことができるので、情報通信産業に適用することができる。
【符号の説明】
【００６４】
１１：ヘッダ生成部
１１−１：カウントラッチ
１１−２：セレクタ回路
１１−３：カウンタ
１２：ヘッダ付加部
１３：ＳＯＦ付加部
１４：ＣＲＣ付加部
１５：ＥＯＴ若しくはＥＯＦ付加部
１６：８Ｂ１０Ｂ変換部
２１：フレームカウントエラー生成部
２４：ＣＲＣエラー付加部
２５：フレーム長エラー付加部
２６：ＲＤＳエラー付加部
２８：１０ｂｉｔエラー付加部
７１：シーケンス作成部
７２：表示部
７３：操作部
７４：シーケンス記憶部
７５：ペイロードデータ記憶部
７６：試験実行部
７６−１：データ生成部
７６−２：データ出力部
７６−３：内部管理情報付加部
７６−４：出力データ記憶部
７６−５：試験結果解析部
７６−６：ＲＦ信号処理部
７６−７：カウンタ
７６−８：時刻情報生成部
７６−９：データ入力部
７６−１０：データ解析部
７６−１１：内部管理情報付加部
７６−１２：入力データ記憶部
７７：表示部
７８：操作部
８１：シーケンス作成装置
８２：試験装置
９１：移動体通信用デバイス試験システム
９２：通信用デバイス
【図１】
2011041106.tif 000003
【図２】
2011041106.tif 000004
【図３】
2011041106.tif 000005
【図４】
2011041106.tif 000006
【図５】
2011041106.tif 000007
【図６】
2011041106.tif 000008
【図７】
2011041106.tif 000009